(57)【要約】      （修正有）【課題】耐水性の、特に非繊維表面の洗浄に使用したとき、改善された洗浄作用を示し、最適な結果を実現する洗浄剤の提供。【解決手段】ａ）少なくとも１つの負に帯電した有機高分子、ｂ）少なくとも１つの非イオン性、アニオン性、カチオン性または両性湿潤剤、ｃ）少なくとも１つの湿潤剤のための少なくとも１つの非イオン性、アニオン性、カチオン性または両性乳化剤を含有する洗浄剤であって、ｂ１）非イオン性湿潤剤が、アセチレンジオールまたはポリジメチルシロキサンであり、ｂ２）アニオン性湿潤剤が、アニオン性パーフルオロアルキルポリマーまたはアルキルスルホスクシネートであり、ｂ３）カチオン性湿潤剤が、カチオン性パーフルオロアルキルコポリマーであり、洗浄剤が、顆粒またはタブレットの形態で利用できることを特徴とする洗浄剤。【選択図】なし【特許請求の範囲】
【請求項１】
以下の成分：
ａ）少なくとも１つの負に帯電した有機高分子、
ｂ）少なくとも１つの非イオン性、アニオン性、カチオン性または両性湿潤剤、
ｃ）少なくとも１つの湿潤剤のための少なくとも１つの非イオン性、アニオン性、カチオン性または両性乳化剤
を含有する洗浄剤であって、
ｂ１）非イオン性湿潤剤が、アセチレンジオールまたはポリジメチルシロキサンであり、
ｂ２）アニオン性湿潤剤が、アニオン性パーフルオロアルキルポリマーまたはアルキルスルホスクシネートであり、
ｂ３）カチオン性湿潤剤が、カチオン性パーフルオロアルキルコポリマーであり、
洗浄剤が、顆粒またはタブレットの形態で利用できる
ことを特徴とする洗浄剤。
【請求項２】
負に帯電した有機高分子が、ポリマー再沈着防止剤であることを特徴とする洗浄剤。
【請求項３】
少なくとも１つの負に帯電した有機高分子が、以下の物質部類：アミノポリカルボキシレート、有機ホスホネート、ポリカルボキシレートまたはこれらのコポリマーから選択されることを特徴とする、請求項１に記載の洗浄剤。
【請求項４】
少なくとも１つの負に帯電した有機高分子が、ポリアスパラギン酸またはこの水溶性塩であることを特徴とする、請求項１に記載の洗浄剤。
【請求項５】
少なくとも１つの負に帯電した有機高分子が、ポリアクリレートであることを特徴とする、請求項１に記載の洗浄剤。
【請求項６】
ポリアクリレートが、好ましくは分子量４，０００から６，０００のアクリルホモポリマーであることを特徴とする、請求項５に記載の洗浄剤。
【請求項７】
負に帯電した有機高分子が、顆粒の形態で用いられ、個々の顆粒粒子の平均直径が、好ましくは４００から８００μｍであることを特徴とする、請求項１から６のいずれか一項に記載の洗浄剤。
【請求項８】
非イオン性湿潤剤が、アルコキシル化アセチレンジオールであることを特徴とする、請求項１から６のいずれか一項に記載の洗浄剤。
【請求項９】
非イオン性乳化剤が、脂肪アルコールアルコキシレートの群から選択されることを特徴とする、請求項１から８のいずれか一項に記載の洗浄剤。
【請求項１０】
アニオン性乳化剤が、アルキルスルフェートまたはアルキルエーテルスルフェートの群から選択されることを特徴とする、請求項１から９のいずれか一項に記載の洗浄剤。
【請求項１１】
カチオン性乳化剤が、第４級アンモニウム化合物の群から選択されることを特徴とする、請求項１から１０のいずれか一項に記載の洗浄剤。
【請求項１２】
両性乳化剤が、ベタインおよびスルタインの群から選択されることを特徴とする、請求項１から１１のいずれか一項に記載の洗浄剤。
【請求項１３】
少なくとも１つのポリアスパラギン酸またはこの塩が、１，０００から１０，０００ｇ／ｍｏｌ、好ましくは２，０００から３，０００ｇ／ｍｏｌの間の分子量を有することを特徴とする、請求項４から１２のいずれか一項に記載の洗浄剤。
【請求項１４】
湿潤剤が、湿潤剤として１つ以上のエトキシル化アセチレンジオールを含むことを特徴とする、請求項１から１３のいずれか一項に記載の洗浄剤。
【請求項１５】
乳化剤が、１つ以上の好ましくは分岐エトキシル化脂肪アルコールを含むことを特徴とする、請求項１から１４のいずれか一項に記載の洗浄剤。
【請求項１６】
洗浄剤が、さらに水を含有することを特徴とする、請求項１から１５のいずれか一項に記載の洗浄剤。
【請求項１７】
室温での洗浄剤水溶液の表面張力が、最大１秒以内、好ましくは最大０．６秒以内で４０ｍＮ／ｍ未満、好ましくは３０ｍＮ／ｍ未満の値まで低下することを特徴とする、請求項１６に記載の洗浄剤。
【請求項１８】
洗浄剤が、少なくとも１ｃｍ３、好ましくは少なくとも５ｃｍ３の体積を有するタブレットとして利用できることを特徴とする、請求項１から１５のいずれか一項に記載の洗浄剤。
【請求項１９】
洗浄剤が、最大１００ｃｍ３、好ましくは最大１２ｃｍ３の体積を有するタブレットとして利用できることを特徴とする、請求項１から１５のいずれか一項に記載の洗浄剤。
【請求項２０】
洗浄剤が、１０ｃｍ、好ましくは７ｃｍの最大直径を有するタブレットとして利用できることを特徴とする、請求項１８または１９に記載の洗浄剤。
【請求項２１】
洗浄剤が、１ｃｍ、好ましくは３ｃｍの最小直径を有するタブレットとして利用できることを特徴とする、請求項１８から２０のいずれか一項に記載の洗浄剤。
【請求項２２】
少なくとも１つの負に帯電した有機高分子、好ましくは少なくとも１つのポリアスパラギン酸またはこの水溶性塩が、粒子形態で利用でき、０．１ｍｍの粒径分布Ｄ５０を有することを特徴とする、請求項１８から２１のいずれか一項に記載の洗浄剤。
【請求項２３】
粒径分布Ｄ５０が０．０７ｍｍ、好ましくは０．０１ｍｍであることを特徴とする、請求項２２に記載の洗浄剤。
【請求項２４】
洗浄剤が、以下の追加の成分：
ｄ）好ましくは等モル量の炭酸塩および有機酸の発泡性混合物
を含有することを特徴とする、請求項１８から２３のいずれか一項に記載の洗浄剤。
【請求項２５】
発泡性混合物が、クエン酸、炭酸水素ナトリウムおよび／または炭酸ナトリウムの混合物であることを特徴とする、請求項２４に記載の洗浄剤。
【請求項２６】
洗浄剤が、水中で膨張する物質、好ましくはポリビニルピロリドンをさらに含有することを特徴とする、請求項１８から２５のいずれか一項に記載の洗浄剤。
【請求項２７】
分岐エトキシル化脂肪アルコールが、ｉｓｏ−Ｃ８−Ｃ１８非イオン性界面活性剤であり、好ましくはこれが２から２０のエチレンオキシド単位でエーテル化されていることを特徴とする、請求項１５から２６のいずれか一項に記載の洗浄剤。
【請求項２８】
分岐エトキシル化脂肪アルコールが、ｉｓｏ−Ｃ１０−Ｃ１４非イオン性界面活性剤であり、好ましくはこれが５から１０のエチレンオキシド単位でエーテル化されていることを特徴とする、請求項２７に記載の洗浄剤。
【請求項２９】
ｉｓｏ−Ｃ８−Ｃ１８非イオン性界面活性剤が、ｉｓｏ−Ｃ１３（１０ＥＯ）またはｉｓｏ−Ｃ１１（７ＥＯ）であることを特徴とする、請求項２８に記載の洗浄剤。
【請求項３０】
成分ａ）、ｂ）およびｃ）の比率が、互いに対して以下の関係：
成分ａ）  ０．１から１００重量部、
成分ｂ）  ０．０５から５０重量部、
成分ｃ）  ０．０１から５０重量部
を有することを特徴とする、請求項１から２９のいずれか一項に記載の洗浄剤。
【請求項３１】
成分ａ）、ｂ）およびｃ）の比率が、互いに対して以下の関係：
成分ａ）  １から１０重量部、
成分ｂ）  ０．５から５重量部、
成分ｃ）  ０．１から５．０重量部
を有することを特徴とする、請求項３０に記載の洗浄剤。
【請求項３２】
成分ａ）、ｂ）およびｃ）の比率が、互いに対して以下の関係：
成分ａ）  ３から５重量部、
成分ｂ）  １から２重量部、
成分ｃ）  １から２重量部
を有することを特徴とする、請求項３１に記載の洗浄剤。
【請求項３３】
成分ａ）、ｂ）およびｃ）の比率に加えて、成分ｄ）の比率が
成分ｄ）  ０．３から１５０重量部、好ましくは３．０から１５．０重量部
として与えられることを特徴とする、請求項２４から３２のいずれか一項に記載の洗浄剤。
【請求項３４】
タブレットとして形成された洗浄剤が、１０分未満、好ましくは２分未満で水に残渣なしで溶解することを特徴とする、請求項１８から３３のいずれか一項に記載の洗浄剤。
【請求項３５】
洗浄剤が、３つの成分ａ）＋ｂ）＋ｃ）の合計１重量部に対して、水５００から１００，０００重量部を含有することを特徴とする、請求項１６から３４のいずれか一項に記載の洗浄剤。
【請求項３６】
洗浄剤が、３つの成分ａ）＋ｂ）＋ｃ）の合計１重量部に対して、水６００から１９００重量部、好ましくは水９００から１３００重量部を含有することを特徴とする、請求項３５に記載の洗浄剤。
【請求項３７】
洗浄剤が、錯形成剤をさらに含有することを特徴とする、請求項１から３６のいずれか一項に記載の洗浄剤。
【請求項３８】
室温での洗浄剤の表面張力が、３０ｍＮ／ｍ未満であると測定されるように湿潤剤が選択されることを特徴とする、請求項１から３７のいずれか一項に記載の洗浄剤。
【請求項３９】
耐水性の、特に非繊維表面の洗浄のための、請求項１から３８のいずれか一項に記載の洗浄剤の使用。
【請求項４０】
洗浄機における、請求項１から３８のいずれか一項に記載の洗浄剤の使用。
【請求項４１】
モップによる水拭きのための、請求項１から３８のいずれか一項に記載の洗浄剤の使用。
【請求項４２】
手作業用または工業用フォームのための、請求項１から３８のいずれか一項に記載の洗浄剤の使用。
【発明の詳細な説明】
【技術分野】
【０００１】
本発明は、請求項１の序文に記載の洗浄剤に関する。
【発明の概要】
【発明が解決しようとする課題】
【０００２】
本発明の目的は、耐水性の、特に非繊維表面の洗浄に使用したとき、改善された洗浄作用を示し、最適な結果を実現する洗浄剤を提供することである。さらなる目的は、洗浄機での使用に最適である洗浄剤を提供することである。
【０００３】
本発明の目的は、請求項１に記載の特徴を有する洗浄剤で達成される。
【課題を解決するための手段】
【０００４】
繊維製品の伝統的な洗浄方法とは対照的に、本発明による洗浄剤の作用様式は、界面活性剤による汚れの乳化の原理に基づくよりも、むしろ２つの洗浄技術の組合せからなるものである。使用する湿潤剤により、水で希釈した洗浄剤の表面張力がごく短時間（１秒未満）で３０ｍＮ／ｍ未満（室温で測定）に低下し、その結果、洗浄の機械的強度と組み合わさった洗浄水溶液が洗浄液中に汚れ粒子を懸濁させることを可能にする。再沈着防止剤との組合せにより、汚れ粒子は懸濁液中に保持され、再沈着を妨げる。
【０００５】
乳化剤は、低水溶性湿潤剤の洗浄液中での急速で均一な分布の実現を可能にし、驚くべきことに強力に改善された乳化効果を付与する。このように懸濁した弱く負に帯電した汚れ粒子は、中和されたポリアスパラギン酸の負電荷により懸濁液中に電気立体的に保持される。ポリアスパラギン酸の繊維洗浄液での公知の使用とは対照的に、ポリアスパラギン酸は、ここでは、存在するＣａ２＋イオンへの結合のために用いられるのではなく、むしろ負に帯電した汚れ粒子の同様に負に帯電した長鎖分子による電気立体的反発のために用いられる。
【０００６】
本発明により得られる利点は、本質的に以下の通りである。
【０００７】
・負に帯電した汚れ粒子が電気立体的に反発されること、
・過剰量の水和した負に帯電した錯形成剤画分により、主として負に帯電することが経験上知られている汚れ粒子に対して、相互反発力が働くこと、
・溶液が、極めて良好な再沈着防止作用を有すること、
・驚くべきことに、本発明による洗浄剤には強力に改善された乳化能力があり、これは乳化剤の相乗効果に起因すること、および
・高発泡性界面活性剤を使用しないため、消泡剤を不要にできること。
【発明を実施するための形態】
【０００８】
本発明のさらに有利な実施形態は以下のように示すことができる。
【０００９】
負に帯電した有機高分子は、有利にはポリマー再沈着防止剤であり、以下の物質部類：アミノポリカルボキシレート、有機ホスホネート、ポリカルボキシレートまたはこれらのコポリマーから選択できる。特に、少なくとも１つの負に帯電した有機高分子は、ポリアスパラギン酸またはこの水溶性塩であってよい。
【００１０】
負に帯電した有機高分子は、好ましくは分子量４，０００から６，０００のポリアクリレート、例えば、アクリルホモポリマーであってもよい。
【００１１】
非イオン性湿潤剤は、アセチルジオール、好ましくはアルコキシル化アセチルジオールであってよく、アニオン性湿潤剤は、アニオン性パーフルオロアルキルポリマーまたはアルキルスルホスクシネートであってよく、カチオン性湿潤剤は、カチオン性パーフルオロアルキルコポリマーであってよく、両性湿潤剤は、アルキルアミドプロピルベタインであってよい。湿潤剤は、１つ以上のエトキシル化アセチルジオールを含むこともできる。
【００１２】
非イオン性乳化剤は、脂肪アルコールアルコキシレートの群から選択でき、アニオン性乳化剤は、アルキルスルフェートまたはアルキルエーテルスルフェートの群から選択でき、カチオン性乳化剤は、第４級アンモニウム化合物の群から選択でき、両性乳化剤は、ベタインおよびスルタインの群から選択できる。乳化剤は、１つ以上の好ましくは分岐のエトキシル化脂肪アルコールも含むことができる。
【００１３】
ポリアスパラギン酸（またはこの塩）は、好ましくは平均分子量１０００から１０，０００ｇ／ｍｏｌを有し、好ましくは２０００から３０００ｇ／ｍｏｌを有する。
【００１４】
適切には、粒子形態で存在する、少なくとも１つの負に帯電した有機高分子および好ましくは少なくとも１つのポリアスパラギン酸またはこの水溶性塩の粒径分布Ｄ５０は、０．１ｍｍである。０．０７ｍｍまたはさらに０．０１ｍｍの粒径分布Ｄ５０は、特に良好な結果をもたらす。
【００１５】
洗浄剤は、好ましくは貯蔵を簡便にする顆粒またはタブレットの形態で用いられる。タブレットは、少なくとも１ｃｍ３、好ましくは少なくとも５ｃｍ３の体積を適切には有する。体積は、適切には１００ｃｍ３以下、好ましくは１２ｃｍ３以下である。
【００１６】
タブレットの最大直径は、適切には１０ｃｍ、好ましくは７ｃｍである。タブレットの最小直径は、適切には１ｃｍ、好ましくは３ｃｍである。これらの大きさは、水への最適な投与および溶解を可能にする。
【００１７】
本発明による洗浄剤は、使用の少し前に水に適切に溶解させる。３つの成分ａ）＋ｂ）＋ｃ）の合計１重量部に対して、水５００から１００，０００重量部がこの溶解に用いられる。適切には水６００から１９００重量部、好ましくは水９００から１３００重量部が、溶解に使用できる。
【００１８】
有利には、洗浄剤は、水で膨張する物質、例えばポリビニルピロリドンをさらに含有する。したがって、顆粒またはタブレットの形態で存在する洗浄剤は、水に早く溶解する。タブレットとして形成された洗浄剤は、１０分未満、好ましくは２分未満で水に残渣なしで適切に溶解すべきである。室温での洗浄剤水溶液の表面張力は、最大１秒以内、好ましくは最大０．６秒以内に４０ｍＮ／ｍ未満、好ましくは３０ｍＮ／ｍ未満の値まで低下する。
【００１９】
特定の実施形態において、洗浄剤は、以下の追加の成分：
ｄ）好ましくは等モル量の炭酸塩および有機酸の発泡性混合物
を含有する。
【００２０】
発泡性混合物は、クエン酸、炭酸水素ナトリウムおよび／または炭酸ナトリウムの混合物であることが好ましい。顆粒またはタブレットの使用形態において、洗浄剤は、炭酸塩ならびに有機酸、例えばクエン酸および／またはクエン酸塩と混合することにより発泡性混合物を形成し得る。過剰量のクエン酸塩は、カルシウムイオンの錯形成に役立つ。
【００２１】
特定の実施形態において、分岐エトキシル化脂肪アルコールは、ｉｓｏ−Ｃ８−Ｃ１８非イオン性界面活性剤であり、これは２から２０のエチレンオキシド単位で好ましくはエーテル化される。とりわけ、分岐エトキシル化脂肪アルコールは、ｉｓｏ−Ｃ１０−Ｃ１４非イオン性界面活性剤であり、これは好ましくは５から１０のエチレンオキシド単位でエーテル化される。ｉｓｏ−Ｃ８−Ｃ１８非イオン性界面活性剤は、ｉｓｏ−Ｃ１３（１０ＥＯ）またはｉｓｏ−Ｃ１１（７ＥＯ）であってよい。
【００２２】
本発明による洗浄剤の成分ａ）、ｂ）およびｃ）の比率は、互いに対して以下の比率：
成分ａ）  ０．１から１００重量部、
成分ｂ）  ０．０５から５０重量部および
成分ｃ）  ０．０１から５０重量部
を有し得る。
【００２３】
適切には、成分ａ）、ｂ）およびｃ）は、互いに対して以下の比率：
成分ａ）  １から１０重量部、
成分ｂ）  ０．５から５重量部および
成分ｃ）  ０．１から５．０重量部
を有し得る。
【００２４】
有利には、成分ａ）、ｂ）およびｃ）は、互いに対して以下の比率：
成分ａ）  ３から５重量部、
成分ｂ）  １から２重量部および
成分ｃ）  １から２重量部
を有し得る。
【００２５】
成分ａ）、ｂ）およびｃ）の比率に加えて、成分ｄ）の以下の比率：
成分ｄ）：０．３から１５０重量部、好ましくは３．０から１５．０重量部
も与えることができる。
【００２６】
本発明による洗浄剤は、洗浄機での使用にとりわけ適している。これは、モップによる水拭きおよび手作業用または工業用フォームに特に適している。
【００２７】
特定の実施形態において、洗浄剤は、錯形成剤をさらに含有できる。
【００２８】
本発明および本発明のさらなる改良を、いくつかの配合物に関して以下でより詳細に説明する。配合物は、投与単位（例えば、１タブレット、または１サシェまたは１粉末部など）の組成物を表し、これを８から１０リッターの水に溶解させ、適切な洗浄溶液を得る。
【実施例】
【００２９】
［実施例１］
８ｇ  ポリアスパラギン酸ナトリウム塩
４ｇ  有機変性ポリジメチルシロキサン（湿潤剤として）
４ｇ  ｉｓｏ−Ｃ１２−１４脂肪アルコール（８ＥＯ）（湿潤剤のための乳化剤として）
【００３０】
［実施例２］
６ｇ  ポリアスパラギン酸ナトリウム塩
４ｇ  ２，４，７，９−テトラメチル−５−デシン−４，７−ジオール（湿潤剤として）
２ｇ  Ｃ１０−１２脂肪アルコールＥＯ／ＰＯ
【００３１】
［実施例３］
４ｇ  ポリアスパラギン酸ナトリウム塩
２ｇ  アニオン性フルオロ湿潤剤（Ｃ４−Ｃ６直鎖フッ素化炭化水素）
３ｇ  ラウリルエーテル硫酸ナトリウム（２ＥＯ）（湿潤剤のための乳化剤として）
【００３２】
［実施例４］
４ｇ  ポリアスパラギン酸ナトリウム塩
４ｇ  ジイソオクチルスルホコハク酸ナトリウム（湿潤剤として）
３ｇ  Ｃ１０ゲルベアルコール（９ＥＯ）（湿潤剤のための乳化剤として）
【００３３】
［実施例５］
７．８ｇ  アクリルホモポリマー（ＭＷ４０００から６０００）
４．１ｇ  アニオン性フルオロ湿潤剤（Ｃ４−Ｃ６直鎖フッ素化炭化水素）
４ｇ  ｉｓｏ−Ｃ１２−１４脂肪アルコール（８ＥＯ）（湿潤剤のための乳化剤として）
０．１５ｇ  ジエチレントリアミン（錯形成剤として）
【００３４】
［実施例６］
５．９ｇ  アクリルホモポリマー（ＭＷ４０００から６０００）
３．９ｇ  ２，４，７，９−テトラメチル−５−デシン−４，７−ジオール（湿潤剤として）
２ｇ  Ｃ１０−１２脂肪アルコールＥＯ／ＰＯ
【００３５】
［実施例７］
４ｇ  アクリルホモポリマー（ＭＷ４０００から６０００）
２ｇ  アニオン性フルオロ湿潤剤（Ｃ４−Ｃ６直鎖フッ素化炭化水素）
３ｇ  ラウリルエーテル硫酸ナトリウム（２ＥＯ）（湿潤剤のための乳化剤として）
【００３６】
［実施例８］
４ｇ  アクリルホモポリマー（ＭＷ４０００から６０００）
４ｇ  ジイソオクチルスルホコハク酸ナトリウム（湿潤剤として）
３ｇ  Ｃ１０ゲルベアルコール（９ＥＯ）（湿潤剤のための乳化剤として）
【００３７】
本発明の様々な実施形態が、上に記載したように存在するが、様々な特徴が単独および任意の所望の組合せの両方で使用できるものとして、これらは理解されるべきである。
【００３８】
したがって、本発明は上記の特に好ましい実施形態のみに限定されるものではない。
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
以下の成分：
ａ）少なくとも１つの負に帯電した有機高分子、
ｂ）少なくとも１つの非イオン性、アニオン性、カチオン性または両性湿潤剤、
ｃ）少なくとも１つの湿潤剤のための少なくとも１つの非イオン性、アニオン性、カチオン性または両性乳化剤
を含有する洗浄剤であって、
ｂ１）非イオン性湿潤剤が、アセチレンジオールまたはポリジメチルシロキサンであり、
ｂ２）アニオン性湿潤剤が、アニオン性パーフルオロアルキルポリマーまたはアルキルスルホスクシネートであり、
ｂ３）カチオン性湿潤剤が、カチオン性パーフルオロアルキルコポリマーであり、
洗浄剤が、顆粒またはタブレットの形態で利用できる
ことを特徴とする洗浄剤。
【請求項２】
負に帯電した有機高分子が、ポリマー再沈着防止剤であることを特徴とする、請求項１に記載の洗浄剤。
【請求項３】
少なくとも１つの負に帯電した有機高分子が、以下の物質部類：アミノポリカルボキシレート、有機ホスホネート、ポリカルボキシレートまたはこれらのコポリマーから選択されることを特徴とする、請求項１に記載の洗浄剤。
【請求項４】
少なくとも１つの負に帯電した有機高分子が、ポリアスパラギン酸またはこの水溶性塩であることを特徴とする、請求項１に記載の洗浄剤。
【請求項５】
負に帯電した有機高分子が、顆粒の形態で用いられ、個々の顆粒粒子の平均直径が、好ましくは４００から８００μｍであることを特徴とする、請求項１から４のいずれか一項に記載の洗浄剤。
【請求項６】
非イオン性湿潤剤が、アルコキシル化アセチレンジオールであることを特徴とする、請求項１から４のいずれか一項に記載の洗浄剤。
【請求項７】
非イオン性乳化剤が、脂肪アルコールアルコキシレートの群から選択されることを特徴とする、請求項１から６のいずれか一項に記載の洗浄剤。
【請求項８】
アニオン性乳化剤が、アルキルスルフェートまたはアルキルエーテルスルフェートの群から選択されることを特徴とする、請求項１から７のいずれか一項に記載の洗浄剤。
【請求項９】
カチオン性乳化剤が、第４級アンモニウム化合物の群から選択されることを特徴とする、請求項１から８のいずれか一項に記載の洗浄剤。
【請求項１０】
両性乳化剤が、ベタインおよびスルタインの群から選択されることを特徴とする、請求項１から９のいずれか一項に記載の洗浄剤。
【請求項１１】
室温での洗浄剤の表面張力が、３０ｍＮ／ｍ未満であると測定されるように湿潤剤が選択されることを特徴とする、請求項１から１０のいずれか一項に記載の洗浄剤。
【請求項１２】
耐水性の、特に非繊維表面の洗浄のための、請求項１から１１のいずれか一項に記載の洗浄剤の使用。
【請求項１３】
洗浄機における、請求項１から１１のいずれか一項に記載の洗浄剤の使用。
【請求項１４】
モップによる水拭きのための、請求項１から１１のいずれか一項に記載の洗浄剤の使用。
【請求項１５】
手作業用または工業用フォームのための、請求項１から１１のいずれか一項に記載の洗浄剤の使用。
【外国語明細書】
2018184606000001.pdf